(57)【特許請求の範囲】
【請求項１】
受信した放送信号から所定の映像信号を選局して信号処理を施す信号処理手段と、
複数のライティングパターンに対応した映像信号が記憶された記憶手段と、
前記記憶手段から所定のライティングパターンに対応した映像信号を選択的に読み出す読み出し手段と、
前記信号処理手段から得られた映像信号を選択して導出する第１のモードと、前記読み出し手段で読み出された映像信号を選択して導出する第２のモードとに選択的に切り替え可能な切替手段と、
前記切替手段から導出された映像信号を映像表示する表示手段と、
複数のキーを有する操作手段と、
前記操作手段の操作に応答して前記表示手段での表示状態を制御し、前記第２のモードにおいて前記表示手段に対して同じライティングパターンの表示状態が所定時間以上継続した場合、表示されているライティングパターンを画面上でスクロールさせる制御手段と、
を具備してなることを特徴とするテレビジョン受信装置。
【請求項２】
前記操作手段は、前記複数のライティングパターンをそれぞれ選択するため複数の第１の選択キーを有し、前記第２のモードにおいて前記第１の選択キーのいずれかを操作することにより、前記制御手段の制御のもとに、操作された選択キーに対応するライティングパターンの映像信号を前記表示手段に映像表示させることを特徴とする請求項１記載のテレビジョン受信装置。
【請求項３】
前記操作手段は、前記複数のライティングパターンを順番に表示させるための第２の選択キーを有し、前記第２のモードにおいて前記第２の選択キーを操作することにより、前記制御手段の制御のもとに、前記複数のライティングパターンに対応した映像信号を前記表示手段に所定の順序及び所定の時間間隔で循環的に映像表示させることを特徴とする請求項１記載のテレビジョン受信装置。
【請求項４】
前記操作手段は、前記第２のモードにおいて、前記表示手段での表示の明るさを段階的に切り替えるための第３のキーを具備してなることを特徴とする請求項１記載のテレビジョン受信装置。
【請求項５】
前記操作手段は、前記第２のモードにおいて、前記ライティングパターン表示状態を継続させる時間を段階的に切り替えるための第４のキーを具備してなることを特徴とする請求項１記載のテレビジョン受信装置。
【請求項６】
前記操作手段は、
前記信号処理手段による放送受信動作を制御するための第１のリモートコントローラと、
前記ライティングパターンの表示状態を選択制御するための第２のリモートコントローラとを具備してなることを特徴とする請求項１記載のテレビジョン受信装置。
【請求項７】
受信した放送信号から所定の映像信号を選局して信号処理を施す信号処理手段と、
複数のライティングパターンに対応した映像信号が記憶された記憶手段と、
この記憶手段から所定のライティングパターンに対応した映像信号を選択的に読み出す読み出し手段と、
前記信号処理手段から得られた映像信号を選択して導出する第１のモードと、前記読み出し手段で読み出された映像信号を選択して導出する第２のモードとに選択的に切り替え可能な切替手段と、
前記切替手段から導出された映像信号を映像表示する表示手段と、
前記複数のライティングパターンをそれぞれ選択するための選択キーを有する操作手段と、
前記操作手段の操作に応答して前記表示手段での表示状態を制御し、前記第２のモードにおいて前記選択キーが操作されたときは、いずれか１つのライティングパターンの映像信号を選択して前記表示手段に映像表示させ、同じライティングパターンの表示状態が所定時間以上継続した場合、表示されているライティングパターンを画面上でスクロールさせる制御手段とを具備したことを特徴とするテレビジョン受信装置。
【発明の詳細な説明】
【０００１】
【発明の属する技術分野】
この発明は、例えば液晶フラットパネルディスプレイ等を備えたテレビジョン受信装置の改良に関する。
【０００２】
【従来の技術】
周知のように、液晶を用いた表示装置は、ＣＲＴ（Cathode Ray Tube）に比べて薄型軽量でかつ低消費電力であることから、現在、テレビジョン受信装置に多く使用されてきている。
【０００３】
そして、特許文献１においては、液晶表示部を備えたテレビジョン受信装置に、インテリアとしての機能を付加することが提案されている。すなわち、この特許文献１では、液晶表示部を備えた壁掛け型のテレビジョン受信装置に対して、待機用スイッチの操作により待機状態が指示された場合、メモリカードに予め記憶された画像データを液晶表示部に表示させる機能を備えるとともに、周囲が所定の暗さになると自動的に電源をオフにして画面表示を停止させる機能を備えることにより、インテリアとしての効果を持たせるようにしている。
【０００４】
【特許文献１】
特開平５−１４５８７２号公報
【０００５】
【発明が解決しようとする課題】
しかしながら、テレビジョン受信装置に対して、その本来の放送受信機能に加えて、インテリアとしての機能を付加するという技術は、まだまだ開発途上にある段階であり、細部に渡って十分に実用的なレベルにまで達しているとは言えないのが現状である。
【０００６】
そこで、この発明は上記事情を考慮してなされたもので、本来の放送受信機能に加えてスタンドライトとしての機能を充実させたテレビジョン受信装置を提供することを目的とする。
【０００７】
【課題を解決するための手段】
この発明に係るテレビジョン受信装置は、受信した放送信号から所定の映像信号を選局して信号処理を施す信号処理手段と；複数のライティングパターンに対応した映像信号が記憶された記憶手段と；この記憶手段から所定のライティングパターンに対応した映像信号を選択的に読み出す読み出し手段と；前記信号処理手段から得られた映像信号を選択して導出する第１のモードと、前記読み出し手段で読み出された映像信号を選択して導出する第２のモードとに選択的に切り替え可能な切替手段と；この切替手段から導出された映像信号を映像表示する表示手段と；複数のキーを有する操作手段と；前記操作手段の操作に応答して前記表示手段での表示状態を制御し、前記第２のモードにおいて前記表示手段に対して同じライティングパターンの表示状態が所定時間以上継続した場合、表示されているライティングパターンを画面上でスクロールさせる制御手段とを具備してなることを特徴とするものである。
【０００８】
上記のような構成によれば、受信した放送信号から選局され信号処理が施された映像信号と、記憶手段から選択的に読み出した所定のライティングパターンに対応した映像信号とを切り替えて映像表示させることができるとともに、第２のモードにおいて同じライティングパターンの表示状態が所定時間以上継続した場合、表示されているライティングパターンを画面上でスクロールさせることができるため、本来の放送受信機能に加えてスタンドライトとしての機能を充実させたテレビジョン受信装置を提供することができる。
【０００９】
【発明の実施の形態】
以下、この発明の実施の形態について、図面を参照して詳細に説明する。図１は、この実施の形態で説明するテレビジョン受信機１１の外観を示している。このテレビジョン受信機１１は、持ち運びが可能な壁掛け型に形成されており、その前面パネル１２に液晶表示部１３と操作部１４とが設置されている。
【００１０】
このテレビジョン受信機１１は、通常にテレビジョン放送等を受信して、その放送コンテンツを液晶表示部１３に映像表示するテレビジョンモード（第１のモード）と、スタンドライトとして機能するスタンドライトモード（第２のモード）とを備えており、両モードをユーザが選択的に切り替えられるようになっている。
【００１１】
このうち、スタンドライトモードでは、例えば、図２（ａ）乃至（ｄ）に示すような幾何学的な４種類のライティングパターンを、液晶表示部１３に選択的にＯＳＤ（On Screen Display）表示させることにより、スタンドライトとして室内をコーディネイトするインテリアの一部となり得る。
【００１２】
そして、このテレビジョン受信機１１には、テレビジョンモードで機能するテレビジョンリモートコントローラ１５と、スタンドライトモードで機能するスタンドライトリモートコントローラ１６との、２つのリモートコントローラが用意されている。
【００１３】
これにより、例えば、テレビジョンリモートコントローラ１５を居間に、スタンドライトリモートコントローラ１６を寝室に置いておき、居間と寝室との間でテレビジョン受信機１１を持ち運ぶようにすれば、居間でテレビジョンモード、寝室でスタンドライトモードを機能させるという使い方ができる。
【００１４】
図３は、このテレビジョン受信機１１の信号処理系を示している。すなわち、アンテナ１７で受信された放送信号は、チューナ部１８に供給されて所望のチャンネルの映像信号が選局される。このチューナ部１８で選局された映像信号は、選択部１９の一方の入力端に供給される。
【００１５】
この選択部１９は、その他方の入力端に、外部入力端子２０を介して映像信号が入力されるようになっている。そして、この選択部１９は、チューナ部１８で選局された映像信号と、外部入力端子２０から入力された映像信号とを、選択的に映像信号処理部２１に導出している。
【００１６】
この映像信号処理部２１は、入力された映像信号に復調処理を施し、液晶表示部１３での映像表示に対応した形態に変換して、切替部２２の一方の入力端に出力している。この切替部２２の他方の入力端には、メモリ２３に記憶された映像信号が、コントローラ２４を介して供給されるようになっている。
【００１７】
このメモリ２３には、先に図２（ａ）乃至（ｄ）に示した４種類のライティングパターンをＯＳＤ表示させるための映像信号が記憶されている。また、コントローラ２４は、メモリ２３から１種類のライティングパターンに対応した映像信号を選択的に読み出し、切替部２２に出力している。そして、切替部２２は、映像信号処理部２１からの映像信号と、コントローラ２４からの映像信号とを選択的に切り替えて液晶表示部１３に導出している。
【００１８】
すなわち、この切替部２２により、チューナ部１８で選局された映像信号または外部入力端子２０から入力された映像信号を液晶表示部１３に映像表示させるテレビジョンモードと、メモリ２３から読み出した映像信号を液晶表示部１３に映像表示させるスタンドライトモードとに切り替えることができる。
【００１９】
上記した一連の映像表示動作は、マイクロコンピュータ２５によって統括的に制御されている。このマイクロコンピュータ２５は、例えば不揮発性メモリ等でなる記憶部２６に格納された制御プログラム及び各種の設定値等に基づいて、また、この記憶部２６をワークエリアとして、各部の制御を行なっている。
【００２０】
この場合、マイクロコンピュータ２５は、上記操作部１４や、テレビジョンリモートコントローラ１５またはスタンドライトリモートコントローラ１６から受信部２７を介して得られる操作情報を受けて、ユーザの要求する動作状態が実現されるように各部を制御している。
【００２１】
また、このマイクロコンピュータ２５は、タイマ２８を用いて時間の計測を行なうことができる。さらに、このマイクロコンピュータ２５は、調光部２９を介して液晶表示部１３に備えられているバックライト１３ａの発光量を制御し、液晶表示部１３における表示の明るさを切り替えることが可能である。
【００２２】
図４は、このテレビジョン受信機１１の電源系を示している。すなわち、プラグ３０を介して供給された電源電力は、上記操作部１４に設置された電源スイッチ１４ａがオン状態のとき、主電源部３１を介してマイクロコンピュータ２５以外の電源を必要とする各部に供給される。
【００２３】
また、プラグ３０を介して供給された電源電力は、電源スイッチ１４ａに無関係に、待機電源部３２を介してマイクロコンピュータ２５に供給される。すなわち、マイクロコンピュータ２５は、プラグ３０が図示しない電源コンセントに差し込まれた場合、常時電源電力が供給されて待機状態となる。
【００２４】
図５は、上記操作部１４の詳細を示している。すなわち、この操作部１４は、上記電源スイッチ１４ａ、チャンネル選局のためのチャンネルダウン及びアップキー１４ｂ及び１４ｃ、音量調整のためのボリウムダウン及びアップキー１４ｄ及び１４ｅ、テレビ／ビデオ切替キー１４ｆ等を備えている。
【００２５】
図６は、上記スタンドライトリモートコントローラ１６の詳細を示している。このスタンドライトリモートコントローラ１６は、オートキー１６ａ、オン／オフキー１６ｂ、４つのパターン選択キー１６ｃ〜１６ｆ、明るさダウン及びアップキー１６ｇ及び１６ｈ、タイマ設定キー１６ｉ等を備えている。
【００２６】
ここで、上記マイクロコンピュータ２５は、電源スイッチ１４ａがオフしている待機状態で、スタントライトリモートコントローラ１６のオン／オフキー１６ｂが操作されるとスタンドライトモードとなり、以後、オン／オフキー１６ｂが操作される毎に待機状態とスタンドライトモードとに交互に切り替えられる。
【００２７】
また、このマイクロコンピュータ２５は、電源スイッチ１４ａがオンしてテレビジョンモードになっている状態で、オン／オフキー１６ｂが操作されるとスタンドライトモードとなり、以後、オン／オフキー１６ｂが操作される毎に待機状態とスタンドライトモードとに交互に切り替えられる。
【００２８】
なお、待機状態で、テレビジョンリモートコントローラ１５の電源キーが操作された場合、または、スタンドライトモードで、テレビジョンリモートコントローラ１５のチャンネル切り替えや音量切り替え等のキーが操作された場合、マイクロコンピュータ２５はテレビジョンモードに切り替えられる。
【００２９】
また、このマイクロコンピュータ２５は、電源スイッチ１４ａがオンしている状態で、テレビ／ビデオ切替キー１４ｆを操作する毎に、テレビジョンモード、ビデオ１モード、ビデオ２モード、スタンドライトモード、テレビジョンモードの順序で、循環的にモードが切り替えられる。
【００３０】
次に、このマイクロコンピュータ２５は、スタンドライトモードにおいて、スタンドライトリモートコントローラ１６のオートキー１６ａ、パターン選択キー１６ｃ〜１６ｆ、明るさダウン及びアップキー１６ｇ及び１６ｈ、タイマ設定キー１６ｉ等の操作を有効にしている。
【００３１】
まず、４つのパターン選択キー１６ｃ〜１６ｆは、メモリ２３に記憶されている４種類のライティングパターンにそれぞれ対応している。そして、いずれかのパターン選択キーが操作されると、マイクロコンピュータ２５は、その操作されたパターン選択キーに対応するライティングパターンの映像信号をメモリ２３から読み出し、液晶表示部１３に映像表示される。
【００３２】
例えば、４つのパターン選択キー１６ｃ〜１６ｆが、図２（ａ）〜（ｄ）に示した４種類のライティングパターンにそれぞれ対応しているとすると、パターン選択キー１６ｅを操作した場合、図２（ｃ）に示すライティングパターンが液晶表示部１３に映像表示されることになる。
【００３３】
次に、オートキー１６ａが操作された場合、マイクロコンピュータ２５はオートモードとなり、メモリ２３に記憶されている４種類のライティングパターンの映像信号を、所定の順序で選択的に読み出し、例えば３分間隔で循環的に液晶表示部１３に映像表示させるように制御する。
【００３４】
また、このスタンドライトモードでは、マイクロコンピュータ２５は、操作部１４のボリウムダウン及びアップキー１４ｄ及び１４ｅの操作によっても、液晶表示部１３に表示するライティングパターンを、順次切り替えられるように制御する。
【００３５】
例えば、ボリウムダウンキー１４ｄを操作する毎に、図２（ａ）、（ｂ）、（ｃ）、（ｄ）、オートモードの順序で循環的に表示が切り替えられ、ボリウムアップキー１４ｅを操作する毎に、オートモード、図２（ｄ）、（ｃ）、（ｂ）、（ａ）、の順序で循環的に表示が切り替えられるようになる。
【００３６】
次に、明るさダウン及びアップキー１６ｇ及び１６ｈが操作された場合、マイクロコンピュータ２５は、調光部２９を介して液晶表示部１３に備えられているバックライト１３ａの発光量を制御し、液晶表示部１３における表示の明るさを３段階に切り替えることが可能である。
【００３７】
例えば、明るさダウンキー１６ｇが操作される毎に、液晶表示部１３における表示の明るさが１００％、８０％、５０％の順序で循環的に切り替えられ、明るさアップキー１６ｈが操作される毎に、液晶表示部１３における表示の明るさが５０％、８０％、１００％の順序で循環的に切り替えられるようになる。
【００３８】
次に、上記タイマ設定キー１６ｉは、スタンドライトモードから自動的に待機状態に移行するまでの時間を切り替えるもので、マイクロコンピュータ２５は、設定された時間が経過すると、自動的にスタンドライトモードから待機状態に移行して、ライティングパターンを非表示とする。
【００３９】
このタイマ設定キー１６ｉは、操作される毎に設定時間を、１時間、２時間、６時間、１２時間の順序で循環的に切り替え可能であり、工場出荷時には、２時間に設定されている。すなわち、このスタンドライトモードは、必ずタイマ設定キー１６ｉで設定された時間の制約を受け、無制限に継続されないように制御されている。
【００４０】
ここで、スタンドライトモードから待機状態に移行する際には、移行の直前に表示されたライティングパターン、オートモードの有無、明るさダウン及びアップキー１６ｇ及び１６ｈによって設定された明るさ、タイマ設定キー１６ｉによって設定された時間等が記憶され、次に、スタンドライトモードになった場合、マイクロコンピュータ２５は、その記憶内容をラストモードとして起動する。
【００４１】
また、液晶表示部１３に同じライディングパターンを長時間表示させた場合における画面の焼き付けを防止するために、マイクロコンピュータ２５は、同じライティングパターンが所定時間以上表示された場合、そのライティングパターンを画面上で適宜スクロールさせるように制御する。このスクロールの方向と速度は、スタンドライトとして相応しいように設定されているものとする。
【００４２】
また、タイマ設定キー１６ｉで１２時間が設定された場合には、画面の焼き付けを防止するために、自動的にオートモードでの表示に切り替えられるように制御することも可能である。
【００４３】
ここで、上記した実施の形態では、メモリ２３に４種類のライティングパターンに対応した映像信号を記憶させるようにしたが、これは、４種類に限るものではない。また、オートモードにおける各ライティングパターンの表示間隔、明るさ切り替えの段階、タイマ設定キー１６ｉによる設定時間等は、いずれも上記した例に限らず、他の値が使用されても良いことはもちろんである。
【００４４】
なお、この発明は上記した実施の形態に限定されるものではなく、この外その要旨を逸脱しない範囲で種々変形して実施することができる。
【００４５】
【発明の効果】
以上詳述したようにこの発明によれば、本来の放送受信機能に加えてスタンドライトとしての機能を備え、ユーザ選択により好みのライティングパターン映像を表示可能にしたテレビジョン受信装置を提供することができる。
【図面の簡単な説明】
【図１】  この発明の実施の形態を示すもので、テレビジョン受信機を説明するために示す外観図。
【図２】  同実施の形態におけるスタンドライトモードで表示されるライティングパターンの一例を説明するために示す図。
【図３】  同実施の形態におけるテレビジョン受信機の信号処理系を説明するために示すブロック構成図。
【図４】  同実施の形態におけるテレビジョン受信機の電源系を説明するために示すブロック構成図。
【図５】  同実施の形態におけるテレビジョン受信機の操作部の詳細を説明するために示す図。
【図６】  同実施の形態におけるスタンドライトリモートコントローラの詳細を説明するために示す図。
【符号の説明】
１１…テレビジョン受信機、１２…前面パネル、１３…液晶表示部、１４…操作部、１５…テレビジョンリモートコントローラ、１６…スタンドライトリモートコントローラ、１７…アンテナ、１８…チューナ部、１９…選択部、２０…外部入力端子、２１…映像信号処理部、２２…切替部、２３…メモリ、２４…コントローラ、２５…マイクロコンピュータ、２６…記憶部、２７…受信部、２８…タイマ、２９…調光部、３０…プラグ、３１…主電源部、３２…待機電源部。
【図１】
0003708927.tif 000002
【図２】
0003708927.tif 000003
【図３】
0003708927.tif 000004
【図４】
0003708927.tif 000005
【図５】
0003708927.tif 000006
【図６】
0003708927.tif 000007